(57)【要約】【課題】、捕獲位置の隙間部分を徐々に狭くすることにより、ゴキブリの羽根部分を接着して捕獲するので多数のゴキブリを同時に捕獲することが可能となり、特にゴキブリ侵入口にバリアが存在しないので、例えばゴキブリの幼虫等も非常に効率よく捕獲し、設置された室内のゴキブリの根絶を目差したゴキブリ捕獲器を提供することをその目的とする。【解決手段】保形性を備えた適宜素材のシートで底部と、底部と所定角をなす斜板と、底部と斜板とをテーパ状に保持する連結部とを有する三角形断面のハウジングを組立て、連結部にはゴキブリ侵入窓を形成するとともに、ゴキブリ侵入窓が捕獲しようとするゴキブリの高さに近くなるようにするとともに、斜板の内面にはゴキブリの羽根部分を接着して捕獲する捕獲用粘着層を設け、なおかつ底部に連結部のゴキブリ侵入窓に繋がる切欠きを形成してゴキブリがバリアフリーでゴキブリ侵入窓から侵入できるようにしたことを特徴とするゴキブリ捕獲器【選択図】  図４
2006136296.tif 000002
【特許請求の範囲】
【請求項１】
保形性を備えた適宜素材のシートで底部と、底部と所定角をなす斜板と、底部と斜板とをテーパ状に保持する連結部とを有する三角形断面のハウジングを組立て、連結部にはゴキブリ侵入窓を形成するとともに、ゴキブリ侵入窓が捕獲しようとするゴキブリの高さに近くなるようにするとともに、斜板の内面にはゴキブリの羽根部分を接着して捕獲する捕獲用粘着層を設け、なおかつ底部に連結部のゴキブリ侵入窓に繋がる切欠きを形成してゴキブリがバリアフリーでゴキブリ侵入窓から侵入できるようにしたことを特徴とするゴキブリ捕獲器。
【請求項２】
ゴキブリがバリアフリーでゴキブリ侵入窓から侵入できるようにするための底部に設けたゴキブリ侵入窓に繋がる切欠きが、捕獲用粘着層の下端位置まで延びていることを特徴とする請求項１に記載のゴキブリ捕獲器。
【請求項３】
保形性を備えた適宜素材のシートを、その底部が設置する床面等の曲がりに応じて変形可能な素材で形成したことを特徴とする請求項１または２に記載のゴキブリ捕獲器。
【発明の詳細な説明】
【技術分野】
【０００１】
この発明は、屋内の物陰、壁際等に設置して粘着層によりゴキブリを捕獲駆除するゴキブリ捕獲器に関する。
【背景技術】
【０００２】
従来、ゴキブリの駆除方法としては、殺虫剤のスプレーで直接噴射する方法や、部屋を閉めきり殺虫剤を充満させ退治する方法などがあるが、その他に比較的手軽な方法として封筒大の箱状の捕獲器を用い、その内床面に粘着層を設けてゴキブリを捕獲する方法などが知られている。
【０００３】
ゴキブリは、家具と壁面の間部分など狭い隙間部分を好んで行動する習性があるため、このような場所に捕獲器を設置することは、効果的にゴキブリの駆除を行える方法である。
この一般的な箱状の捕獲器は、その内床面に粘着層を設けたものであるが、他の面にも粘着層を設けたものとして、実開平５−７０８１号公報（特許文献１参照）や実開平６−３８５５１号公報（特許文献２参照）に記載されたものがある。
【特許文献１】実開平５−７０８１号公報
【特許文献２】実開平６−３８５５１号公報
【発明の開示】
【発明が解決しようとする課題】
【０００４】
しかし従来のゴキブリ捕獲器は、本来ゴキブリの最も好むすみかとなる狭い隙間部分がほとんどなく、多数のゴキブリを同時に捕獲することが困難であった。特にゴキブリ侵入窓に近い位置に集中して捕獲され、粘着層を有効活用できないばかりか、大きさの異なるゴキブリを効率よく捕獲することには向かないものであった。
またゴキブリ侵入窓が接地面よりかなり高い位置にあることが多く、その段差がゴキブリに侵入を躊躇させることになり、またゴキブリの幼虫などでは侵入することは不可能であり、根絶には到らなかった。
【０００５】
この発明は、上記のような課題を解決しようとするものであり、捕獲位置の隙間部分を徐々に狭くすることにより、ゴキブリの羽根部分を接着して捕獲するので多数のゴキブリを同時に捕獲することが可能となり、特にゴキブリ侵入口にバリアが存在しないので、例えばゴキブリの幼虫等も非常に効率よく捕獲し、設置された室内のゴキブリの根絶を目差したゴキブリ捕獲器を提供することをその目的とする。
【課題を解決するための手段】
【０００６】
すなわち、この発明のゴキブリ捕獲器は、保形性を備えた適宜素材のシートで底部と、底部と所定角をなす斜板と、底部と斜板とをテーパ状に保持する連結部とを有する三角形断面のハウジングを組立て、連結部にはゴキブリ侵入窓を形成するとともに、ゴキブリ侵入窓が捕獲しようとするゴキブリの高さに近くなるようにするとともに、斜板の内面にはゴキブリの羽根部分を接着して捕獲する捕獲用粘着層を設け、なおかつ底部に連結部のゴキブリ侵入窓に繋がる切欠きを形成してゴキブリがバリアフリーでゴキブリ侵入窓から侵入できるようにしたことを特徴とするものである。
【０００７】
この発明のゴキブリ捕獲器は、上記ゴキブリがバリアフリーでゴキブリ侵入窓から侵入できるようにするための底部に設けたゴキブリ侵入窓に繋がる切欠きが、捕獲用粘着層の下端位置まで延びていることをも特徴とするものである。
【０００８】
この発明のゴキブリ捕獲器は、上記保形性を備えた適宜素材のシートを、その底部が設置する床面等の曲がりに応じて変形可能な構造または素材で形成したことをも特徴とするものである。
【発明の効果】
【０００９】
この発明に係るゴキブリ捕獲器は、捕獲位置の隙間部分を徐々に狭くすることにより、また上部の斜板に捕獲用粘着層を設置することによってゴキブリの羽根部分を接着して捕獲するようにしたので、粘着層を有効活用できるようになり、多数のゴキブリを同時に捕獲することが可能となった。
【００１０】
この発明に係るゴキブリ捕獲器は、斜板の内面にゴキブリの羽根部分を接着して捕獲する捕獲用粘着層を設け、また底部と斜板とをテーパ状に保持することにより、角度の狭い部分には小さいゴキブリが、角度が徐々に大きくなるにつれて大きいゴキブリが捕獲できるので、様々なサイズのゴキブリに対応することができるようになった。
【００１１】
この発明に係るゴキブリ捕獲器によれば、構造が単純で組立てが容易であり、ユーザーが組み立てるようにすれば、流通段階では１枚のシート状としてかさ張らないようすることができ、流通や保管の経費を大幅に削減することができる。
また上記のように構造が単純で底部に段差がないためゴキブリに対するバリアがなく、例えばゴキブリの幼虫等のゴキブリの行動をほとんど阻害しないので、捕獲効率を高くすることができる。
【発明を実施するための最良の形態】
【００１２】
以下、この発明に係るゴキブリ捕獲器の実施の形態について、図面に基いて詳細に説明する。
図１はこの発明に係るゴキブリ捕獲器の一実施例を示す正面図、図２はその平面図、図３はその底面図、図４はその断面図、図５は使用状態の正面方向から見た概略斜視図、図６は使用状態の背面方向から見た概略斜視図、図７はゴキブリの行動形態を示す説明図、図８はゴキブリ捕獲器の展開図、図９は斜板と連結部の間を折り曲げた状態の断面図、図１０はさらに連結部と底板との間を折り曲げる過程を示す概略断面図、図１１はこの発明に係るゴキブリ捕獲器の他の実施例を示す展開図、図１２はその組立て状態の断面図、図１３はゴキブリ捕獲器を店舗モデルに設置する場合の説明図、図１４はゴキブリ捕獲器をダイニングキッチン（ＤＫ）モデルに設置する場合の説明図である。
【００１３】
図１ないし図７に示す実施例において、この発明のゴキブリ捕獲器１０は、三角形断面の厚紙製のシートからなるハウジングを有しており、このハウジングは底部１と、底部１と所定角をなす斜板２と、底部１と斜板２とをテーパ状に保持する連結部３とを有している。そして、この連結部３には所定の間隔でゴキブリ侵入窓４が形成されている。図ではゴキブリ侵入窓４は３つ併設されている。またハウジングの両端は開放されている。
上記ハウジングの高さＡ−１やゴキブリ侵入窓４の高さＡ−２は、わが国のような温帯地方に生息する中・小型種のゴキブリに対応させたり、熱帯から亜熱帯地方に生息する大型のものに対応させて、適宜に変更することが必要である。
【００１４】
なお、上記底部１と斜板２のテーパ状の開放端の幅は最も大きいゴキブリ１１の高さに近くなるように形成してある。ちなみに、上記底部１の幅があまり長くても意味が無いので、上記底部１と斜板２とのなす角度θは、発明者の実験によると約１１〜１７°が好ましいことがわかった。
このようにすると、図７のようにゴキブリ１１が行動する。すなわち、最初からゴキブリ侵入窓４に侵入するものはともかく、斜板２側からその上を通過してゴキブリ捕獲器１０を１度すり抜けても、帰りには必ずゴキブリ侵入窓４によって捕獲することができる。したがって、ゴキブリ捕獲器と認識されたくない場合には、後ろ向きに設置することも可能である。
【００１５】
上記斜板２の内面にはゴキブリ１１の羽根部分を接着して捕獲する捕獲用粘着層５が設けられている。この捕獲用粘着層５は上記斜板２の内面ほぼ全体にわたって形成しておくことが望ましい。
捕獲用粘着層５の粘着力は、一旦捕らえたゴキブリ１１が脱出不可能な程度の粘着力が必要であるが、ゴキブリ１１がハウジング内に入ったときにその粘着力によってゴキブリ１１の羽根部分を接着するものであるから、比較的低い粘着力でも捕獲することができる。また、ハウジング内にゴキブリ誘引剤を散布したり、捕獲用粘着層５にゴキブリ誘引剤を添加してゴキブリを誘引し、捕獲するものとすることも可能である。
【００１６】
この発明のゴキブリ捕獲器１０は、以上のように上記底部１と斜板２とを約１１〜１７°のテーパ状に保持することにより、図４に示すように角度の狭い部分には小さいゴキブリ１１が、角度が徐々に大きくなるにつれて大きいゴキブリ１１がそれぞれ捕獲される。
したがって図１ないし図７に示すように、ゴキブリ１１がゴキブリ捕獲器１０にゴキブリ侵入窓４から侵入すると、斜板２に形成した所定位置の捕獲用粘着層５に小さいゴキブリ１１から大きいゴキブリ１１までの各ゴキブリ１１の羽根部分が順次接着して捕獲できるのである。
図において６は使用後に持ち上げて捨てるためのつまみである。
【００１７】
また７は、上記底部１に形成した連結部３のゴキブリ侵入窓４に繋がる切欠きである。この切欠き７により何も障害が無くなり、ゴキブリ侵入窓４から侵入したゴキブリ１１は自身の高さの奥行きまで侵入することが容易となる。
すなわち、底部１を構成するシートは約０．６ｍｍ程度の厚さを備えているが、体高１ｍｍ程のヤマトゴキブリの幼虫（茶羽根ゴキブリは０．５ｍｍ程度）にとっては大きなバリアである。しかしながら、上述のように底部１にゴキブリ侵入窓４に繋がる切欠き７を形成することにより、発生直後のゴキブリの幼虫でも捕獲できるようになった。
また、この切欠き７が存在することにより、図６に示すハウジングのゴキブリ侵入窓４の反対側の底面はあまり剛性が高まることがない。そのため、当該部分の設置する床面との密着度を上げることができ、ゴキブリの通路に隙間を形成しないようにすることが可能なため、ゴキブリの捕獲率を高めることができる。
【００１８】
図８ないし図１０に示すように、上記ゴキブリ捕獲器１０は３０ラ１４ｃｍ程度の厚紙製のシート２１により形成されている。もちろん、このシート２１としては厚紙製に限定されるものではなく、プラスチックシート、アルミ箔等の金属箔シート、不織布シート、あるいはそれらの複合シート等を使用することも可能である。
上記厚紙製のシート２１は図８に示すように、上下方向に底部１と連結部３、斜板２が順次連設されている。そして、底部１の長辺方向に等間隔に３つのゴキブリ侵入窓４が形成され、また斜板２部分には所定幅の捕獲用粘着層５が、また底部１の先端側には厚紙製のシート２１の幅方向の両端を連結する粘着剤付きのり代２２が形成されている。捕獲用粘着層５および粘着剤付きのり代２２にはそれぞれ剥離テープ２３が貼付されており、使用時に剥がして使用するものである。なお、粘着剤付きのり代２２は厚紙製のシート２１の幅方向の両端を連結するようになっている。
【００１９】
上記厚紙製のシート２１にはゴキブリ侵入窓４および切欠き７に相当する部分が打ち抜かれており、またその幅方向において、上記斜板２と連結部３との間と、連結部３と底部１との間、粘着剤付きのり代２２部分とにそれぞれ折り目線２４が形成されている。
そして図９のように、斜板２と連結部３との間の折り目線２４−１を折り曲げ、次いで図１０（ａ）のように連結部３と底部１との間の折り目線２４−２を折り曲げ、同図（ｂ）のように斜板２と底部１とを所定角度に組み付けた上、剥離テープ２３を剥がして同図（ｃ）のように粘着剤付きのり代２２部分の折り目線２４−３を折り曲げて、図４のように厚紙製のシート２１の幅方向の両端を上記粘着剤付きのり代２２で接着して固定するのである。
【００２０】
上記粘着剤付きのり代２２の両端に形成した切込み２５は、ゴキブリ捕獲器１０を筒状に組み立てて使用する場合において、使用後に持ち上げて捨てるためのつまみ６を形成するためのものである。
【００２１】
図１１および図１２はこの発明に係るゴキブリ捕獲器の他の実施例を示すものであり、この例においても、ゴキブリ捕獲器１０は３０ラ１４ｃｍ程度の厚紙製のシート２１により形成されている。
この実施例における上記厚紙製のシート２１も、上下方向に底部１と連結部３、斜板２が順次連設されている。そして、底部１の長辺方向に等間隔に３つのゴキブリ侵入窓４が形成され、また斜板２部分には所定幅の捕獲用粘着層５が、また底部１の先端側には厚紙製のシート２１の幅方向の両端を連結する粘着剤付きのり代２２が形成されている。捕獲用粘着層５および粘着剤付きのり代２２にはそれぞれ剥離テープ２３が貼付されており、使用時に剥がして使用するものである。なお、粘着剤付きのり代２２は厚紙製のシート２１の幅方向の両端を連結するようになっている。
【００２２】
上記厚紙製のシート２１にはゴキブリ侵入窓４および切欠き７に相当する部分が打ち抜かれており、またその幅方向において、上記捕獲用粘着層５のゴキブリ侵入窓４側の端部と、ゴキブリ侵入窓４の捕獲用粘着層５側の端部とにそれぞれ折り目線２４が形成されている。
そして上記実施例と同様に、各折り目線２４のそれぞれを折り曲げ、最後に剥離テープ２３を剥がし、図４のように厚紙製のシート２１の幅方向の両端を上記粘着剤付きのり代２２で接着して固定するのである。
【００２３】
特にこの実施例では、捕獲用粘着層５のゴキブリ侵入窓４を形成した底部１に、折込み片２６に相当する台形の切込みが形成されている。この折込み片２６は、斜板２に向けてほぼ直角に折り返され、その先端ののり代２７をさらに直角に折り返して捕獲用粘着層５に接着することにより、底部１と斜板２とを所定の間隔に保持するようになっている。
このようにすれば、ゴキブリ捕獲器１０上に多少の負荷がかかっても、つぶれたり変形してゴキブリが捕獲できなくなるというおそれが解消する。
【産業上の利用可能性】
【００２４】
この発明に係るゴキブリ捕獲器は、従来のゴキブリ捕獲器では設置することの困難であった狭い隙間や厨房のテーブル上、引き出しの中、さらには壁際など場所を選ばずゴキブリの行動するほとんどの場所に設置可能である。例えば、図１３に示すように店舗の厨房機器の中（Ａ）やカウンターの裏（Ｂ）、換気口（Ｃ）あるいは座席の隅（Ｄ）等である。
【００２５】
さらに、この発明に係るゴキブリ捕獲器は、設置場所に合わせて所定の長さにカットしたり連結してライン状に設置することにより、ゴキブリの行動動線を切ることができる。例えば、図１４に示すようにダイニングキッチンの厨房機器の周囲やキッチンの床面の隅等（破線部分）に設置することができる。したがって、ゴキブリの行動を阻害しない形状と相まって、ゴキブリの捕獲効率を大幅に向上させることが可能である。
また、ゴキブリのみならずカメムシやカマドウマ等々のぎりぎり体が入るような隙間を好む不快な害虫にも有効である。
【図面の簡単な説明】
【００２６】
【図１】この発明に係るゴキブリ捕獲器の一実施例を示す正面図である。
【図２】その平面図である。
【図３】その底面図である。
【図４】その断面図である。
【図５】使用状態の正面方向から見た概略斜視図である。
【図６】使用状態の背面方向から見た概略斜視図である。
【図７】ゴキブリの行動形態を示す説明図である。
【図８】ゴキブリ捕獲器の展開図である。
【図９】斜板と連結部の間を折り曲げた状態の断面図である。
【図１０】さらに連結部と底板との間を折り曲げた上体の断面図である。
【図１１】この発明に係るゴキブリ捕獲器の他の実施例を示す展開図である。
【図１２】その組立て状態の断面図である。
【図１３】ゴキブリ捕獲器を店舗モデルに設置する場合の説明図である。
【図１４】ゴキブリ捕獲器をダイニングキッチン（ＤＫ）モデルに設置する場合の説明図である。
【符号の説明】
【００２７】
１  ハウジング底部
２  斜板
３  連結部
４  ゴキブリ侵入窓
５  捕獲用粘着層
６  つまみ
７  切欠き
１０  ゴキブリ捕獲器
１１  ゴキブリ
２１  厚紙製のシート
２２  粘着剤付きのり代
２３  剥離テープ
２４  折り目線
２５  切込み
２６  折込み片
２７  のり代
【図１】
2006136296.tif 000003
【図２】
2006136296.tif 000004
【図３】
2006136296.tif 000005
【図４】
2006136296.tif 000006
【図５】
2006136296.tif 000007
【図６】
2006136296.tif 000008
【図７】
2006136296.tif 000009
【図８】
2006136296.tif 000010
【図９】
2006136296.tif 000011
【図１０】
2006136296.tif 000012
【図１１】
2006136296.tif 000013
【図１２】
2006136296.tif 000014
【図１３】
2006136296.tif 000015
【図１４】
2006136296.tif 000016